(57)【要約】  変換可能な靴は、中底、成形されたアッパー、及び下側アタッチメント手段を有する下側を備える上部と、上側アタッチメント手段及び下側アタッチメント手段を有する挿入部と、上側アタッチメント手段及び底の底を有する底部とからなる。前記底部の前記上側アタッチメント手段と前記挿入部の前記上側アタッチメント手段とは、同一であり、前記上部の前記下側アタッチメント手段と前記挿入部の前記下側アタッチメント手段とは、同一である。前記上部が前記底部に直接取り付けられて、ローヒールの見かけを作り出すことができるように、又は、前記上部が前記中間挿入部に取り付けられかつ前記中間挿入部が前記底部に取り付けられて、ハイヒールの靴を作り出すことができるように、複数の前記上側アタッチメント手段が、前記下側アタッチメント手段に対応して取り外し可能に取り付けられるような寸法にされ、離間され、構成される。底は、多様な形状であってもよく、ローヒールバージョンの靴がドレスバージョンからスポーツバージョンへ変換することを可能にする。下側アタッチメントは、靴の曲線形状外周に従う突き出た突起部を含み、上側アタッチメントは、突起部に対応しかみ合う周辺溝を含む。かみ合った突起部と溝の曲線の形状は、靴への多次元の力を収容し、コンポーネントを一緒に保持する。上部のかかと端、挿入部、及び底部は、曲線状で又はくぼんだ断面を有し、保持面を提供し、靴コンポーネントを外す。
2015519934.tif 000002
【特許請求の範囲】
【請求項１】
変換可能な靴であって、
中底、アッパー、及び下側アタッチメント手段を有する上部と、
上側アタッチメント手段及び下側アタッチメント手段を有する中間挿入部と、
上側アタッチメント手段及び底を有する底部とを備え、
前記上部の前記下側アタッチメント手段と前記中間挿入部の前記下側アタッチメント手段とは、同一であり、
前記中間挿入部の前記上側アタッチメント手段と前記底部の前記上側アタッチメント手段とは、同一であり、
前記上部が前記底部に直接取り付けられて、ローヒールの見かけを作り出すことができるように、又は、前記上部が前記中間挿入部に取り付けられかつ前記中間挿入部が前記底部に取り付けられて、ハイヒールの靴を作り出すことができるように、複数の前記上側アタッチメント手段が、前記下側アタッチメント手段に対応して取り外し可能に取り付けられるような寸法にされ、離間され、構成される変換可能な靴。
【請求項２】
前記下側アタッチメント手段は、突き出た周辺突起部及び下方アタッチメント材を有し、
前記上側アタッチメント手段は、くぼんだ周辺溝及び上方アタッチメント材を有し、
前記上方アタッチメント材は前記下方アタッチメント材と結合して、前記下側を前記上側にしっかりと保持し、
しっかりと固定ししかし取り外し可能なアタッチメントを作り出すために、周辺突起部は、前記周辺溝内に適合するような寸法にされ、構成される
請求項１に記載の変換可能な靴。
【請求項３】
前記下側アタッチメントは、不均一の曲線状外周を有し、前記周辺突起部は、前記外周から均一な距離で離間されて、前記周辺突起部に不均一な曲線状形状を設け、
前記上側アタッチメントは、不均一な曲線状外周を有し、前記周辺溝は、前記外周から均一な距離で離間されて、前記周辺溝に不均一な曲線状形状を設ける  
請求項２に記載の変換可能な靴。
【請求項４】
前記靴は、垂直剥離力及び横方向のせん断力にさらされ、
取り付けられたときに、前記アタッチメント材が前記剥離力に耐えるようにされており、
周辺突起部は、前記せん断力に耐えるように、前記周辺溝内に適合する
請求項４に記載の変換可能な靴。
【請求項５】
前記上方アタッチメント材及び前記下方アタッチメント材がフック及びループ材である
請求項２に記載の変換可能な靴。
【請求項６】
前記上方アタッチメント材及び前記下方アタッチメント材がマッシュルームベルクロである
請求項２に記載の変換可能な靴。
【請求項７】
前記下側アタッチメント手段は、複数の下方に突き出た突起をさらに有し、前記上側アタッチメント手段は、複数の凹部をさらに有し、
前記複数の凹部は、前記複数の突起に対応して接続するような寸法にされ、離間され、構成される
請求項２に記載の変換可能な靴。
【請求項８】
前記下側アタッチメント手段は、複数の下方に突き出た突起をさらに有し、前記上側アタッチメント手段は、複数の凹部をさらに有し、
前記複数の凹部は、前記複数の突起に対応して接続するような寸法にされ、離間され、構成され、
前記複数の突起は、前記せん断力に耐えるように、前記複数の凹部内に適合する
請求項４に記載の変換可能な靴。
【請求項９】
複数の異なる底を有する複数の底部をさらに備え、
前記上部は、異なる用途のための靴を提供するために、前記複数の底部の一つに取り付けられることができる
請求項１に記載の変換可能な靴。
【請求項１０】
前記アッパーは、つま先端及びかかと端を有し、前記上部は、つま先端及びかかと端を有し、前記中間挿入部は、つま先端及びかかと端を有し、前記底部は、つま先端及びかかと端を有し、
前記上部のかかと端は、グリップ領域を提供するために、広がっていく断面を有し、前記中間挿入部のかかと端は、グリップ領域を提供するために、くぼんだ断面を有し、前記底部のかかと端は、グリップ領域を提供するために、くぼんだ断面を有する
請求項１に記載の変換可能な靴。
【請求項１１】
前記アッパーは、任意の靴スタイルに構成されることができる
請求項１に記載の変換可能な靴。
【請求項１２】
前記アッパーの前記かかと端に取り付けられるアタッチメントタブをさらに備え、
前記アタッチメントタブは、複数のヒールジュエリーの取り付けのためのアタッチメントスロットを有する
請求項１に記載の変換可能な靴。
【発明の詳細な説明】
【技術分野】
【０００１】
発明は、ローヒールの靴をよりハイヒールの靴に変換すべく、又はカジュアルシューズをスポーツシューズに変換すべく、除去可能で置換可能な挿入物及びソールを有する履き物類に関する。
【背景技術】
【０００２】
ローヒールの靴から又はヒールの無い靴からより高いヒールの靴へ変更するべく挿入物を追加された靴に関する発明は多数存在し、除去可能で置換可能なソールを有する靴に関する発明が多数存在する。２０１０年７月１３日にＫａｕｆｍａｎ等に発行された米国特許７，７５２，６９５は、靴のかかとの、インソールとソールの間の開閉可能な空間に挿入できる挿入可能で除去可能なウェッジを有する靴に関する。発明は、仕上げ処理中に利用されるための一時的な挿入物に関し、しかし、それは、靴のかかとの高さを変更すべく、除去可能な挿入物の利用を教示する。
【０００３】
Ｇｒｏｓｓへの２００３年１０月３０日に公開された米国特許出願公開ＵＳ２００３／０２００６７５は、靴の高さを調節すべく、複数の挿入物又はコアモジュールを有する、サンダル、又はかかとのないサンダル（ｆｌｉｐ−ｆｌｏｐ）型の靴を教示する。コアモジュールは全て均一な厚さで、靴の全体の高さは変更されるが、つま先に対してかかとの高さは変更されない。コアモジュールは、対応する穴と挿入可能なピンの列によって位置付けられ、フックとループ材とをかみ合わせることによって一緒に保持される。
【０００４】
Ｃｒａｃｃｏに１９７５年９月２日に発行された米国特許３，９０２，２５９は、交換可能な側面プレートとソールを有するサンダルを開示する。側面プレートとソールは、複数のはめ込み溝の列を介して取り外せて置換でき、対応する突起と穴で位置付けられる。側面プレート及びソールは、サンダルのみかけを変更するように変更され、１つの実施形態では、平らなソールが、ローヒールからより高いヒールへと変換されるように、ウェッジヒールを有するソールと置換されることができる。Ｃｒａｃｃｏは、ローヒールをハイヒールへ変更するように中間挿入可能コンポーネントを利用することを開示せず、複雑なロッキング機構を有する複数のコンポーネントに関する。
【０００５】
１９９４年６月７日にＪｏｈｎｓｏｎに発行された米国特許５，３１７，８２２は、交換可能な着用ソール又はソール底を有する運動競技の靴に関する。ユーザが、運動競技のプレイエリアの表面に最も適した底にすべく、底を変更することができるようにすることが目的である。ソールは、コンポーネントを位置合わせするように対応する複数のノブ及びノブ穴の列によって位置付けられ、ソールは、ベルクロフック及びループ材と、ソールの周辺部周りにあるロッキングピンを有するロック取り付け金具の列とによって決まった場所に保持される。Ｇａｌｌｅｇｏｓに２００９年６月２３日に発行された米国特許７，５４９，２３７は、除去可能で交換可能なクッション及び矯正プレートを有する靴を開示する。クッション及び矯正プレートは、対応するスタッド及び穴によって、又は、代わりにベルクロのようなフック及びループ材によって適切に位置付けられて保持される。Ｇａｌｌｅｇｏｓは、かかとの高さ又はソールの底を変更していない。
【０００６】
Ｄｉａｍｏｎｄに２００９年８月６日に公開された米国特許出願公開２００９／０１９３６８４は、多様な高さとスタイルのソール及びかかと部を有する除去可能で置換可能な中底アッパー及びソール部を備えた変換可能な靴を教示する。コンポーネントは、一連の複数の対応する突起と凹部によって配列され、アウトソール周りのファスナーのような一連のスナップとともに、ベルクロのような対応するフック及びループ材によって適切に保持される。Ｄｉａｍｏｎｄは、高さ及びスタイルを変えるヒールを開示するが、靴の高さ又はかかとを変更すべく、インソールとソールの間に配される挿入部を用いていない。
【発明の概要】
【発明が解決しようとする課題】
【０００７】
ハイヒールの靴は、おしゃれではあるが、しばしば快適ではない。ハイヒールは、特に、長時間はいていると快適ではない。このため、長時間女性がハイヒールを履く場合には履き替えるために余分の靴のペアを持ち運ぶことは女性にとってはとても一般的である。女性は、頻繁に、一対の、ヒールのない履き物又はしばしばテニスシューズを履き、午前中に働き、その後、オフィスでハイヒールのよりドレッシーな靴へ履き替える。しばしば、夕方にハイヒールを履く場合、後に履くために、女性はバレエのヒールのない履き物又はフリップフラップのような、より快適な靴のペアも持ち運ぶ。長時間ハイヒールを履いた後に素足の女性を見ることはまれではない。このため、おしゃれでかつハイからローのヒールへ容易に変換可能である靴及びスポーツシューズに容易に変換可能である靴が必要である。
【課題を解決するための手段】
【０００８】
発明は、中底及びアッパーを有するインソールと、挿入部と、ソールとからなる変換可能な靴である。インソールを挿入部に、挿入部をソールに接続する標準的なアタッチメントがある。インソールは、ソールに直接取り付けられて、ヒールのない履き物又はローヒールの靴を形成し、挿入部は、インソールとソールの間に加えられて、ハイヒールの靴を形成する。１つの変形例としては、複数の可変の高さの靴を形成するべく２つ又は３つ以上の挿入部がありうる。他の変形例としては、例えばドレス靴及びゴルフ靴のような同じアッパーを有する異なるタイプの靴を、交換可能なソール底部によって形成するべく、ソールの底部の複数の異なる底の形状がありうる。
【０００９】
変換可能な靴の好ましい実施形態は、ウェッジスタイルの靴である。ウェッジは、３つの個別のコンポーネントを有し、インソールからなる上部コンポーネント、挿入部からなる中間コンポーネント、及びソールからなる底部コンポーネントである。このウェッジは、３つのコンポーネント全てが共に固定された場合におよそ４インチの高さのハイヒールから、中間挿入部が取り外されてインソールがソールに直接取り付けられた場合におよそ１〜２インチのより低いヒールにまでなる。上側インソールは、いつも、靴の上部であり、ボトムソールは、いつも靴の底部である。このバージョンの靴は、様々なスタイルのアッパーで、女性が利用可能である。
【００１０】
本発明の変換可能な靴はまた、上側インソールとボトムソールのみを備えたスポーツシューズバージョンを具備する。このバージョンは、異なる底を有する複数の変換可能なボトムソールを特徴付け、ボトムソールを置換することによって、テニスシューズから又は革靴から、ゴルフ靴に変換する。このスポーツシューズの少なくとも２つの異なバージョンがあり、１つは、ソールと底を変更することによって、ゴルフ靴へ変換可能な男性用のウイングチップ又はドレス靴であり、他のバージョンは、ゴルフ靴へ変換される女性用又は男性用のテニスシューズである。このバージョンの靴は、男性、女性、及び子供用のバージョン及びスタイルで利用可能である。
【発明の効果】
【００１１】
靴のコンポーネントの除去可能アタッチメントを形成する技術的困難の１つは、容易かつ便利に取り外し可能であると同時に、靴への動的な力に耐えてコンポーネントが確実に取り付けられた状態に維持するには十分な強さを有すべきであるということである。本発明は、一対の突き出た周辺突起部及びくぼんだ周辺溝と、アタッチメント材とからなるアタッチメント機構を用いてこれを達成する。周辺突起部は、上部コンポーネントの下側にあり、くぼんだ溝は、下部コンポーネントの上側にある。両方のコンポーネントにアタッチメント材がある。アタッチメント材は２つのコンポーネントを結合して保持し、一対の周辺突起部と周辺溝は、アタッチメントが靴への力に耐えてコンポーネントを確実に取り付けられた状態に維持することを可能にする。対の突起部及び溝とアタッチメント材との組み合わせは、いくつかの場合にはコンポーネントを離すことが困難であるように安定していること示す。これにより、ソールと挿入部にくぼんだ断面の追加の要素と、靴の後ろの魅力的な外見と取り付け及び取り外しのためのコンポーネントを保持する便利なハンドグリップとの両方を形成するインソールのフレア状（広がっていく）断面とを形成することになる。
【図面の簡単な説明】
【００１２】
【図１】挿入部に取り付けられたインソールとソールに取り付けられた挿入部とを有する変換可能な靴の側面図である。
【００１３】
【図２】挿入部に取り付けられた位置のインソールと、ソールに取り付けられた位置の挿入部とを示す変換可能な靴の分解側面図である。
【００１４】
【図３】溝と上方アタッチメント領域を示す上方アタッチメントの第１の実施形態の上面斜視図である。
【００１５】
【図４】突き出ている突起部と下方アタッチメント領域を示す、下側アタッチメントの第１の実施形態の底面斜視図である。
【００１６】
【図５】インソール及び挿入部の下側アタッチメントの第１の実施形態とソールの底とを示す、変換可能な靴の下側からの分解斜視図である。
【００１７】
【図６】インソールの中底と挿入部及びソールの上方アタッチメントの第１の実施形態とを示す変換可能な靴の上方からの分解斜視図である。
【００１８】
【図７】周辺溝内に挿入された周辺突起部とアタッチメント材とを示す部分断面図である。
【００１９】
【図８】溝、とがった凹部、及び上方アタッチメント領域を示す上方アタッチメントの第２の実施形態の上面斜視図である。
【００２０】
【図９】突き出ている突起部、突き出たとがった突起、及び下方アタッチメント領域を示す下側アタッチメントの第２の実施形態の底面斜視図である。
【００２１】
【図１０】インソール及び挿入部の下側アタッチメントの第２の実施形態とソールの底とを示す変換可能な靴の下側からの分解斜視図である。
【００２２】
【図１１】インソールの中底と挿入部及びソールの上方アタッチメントの第２の実施形態とを示す変換可能な靴の上方からの分解斜視図である。
【００２３】
【図１２】ソール及び挿入部のかかとのくぼんだ断面と、インソールのかかとのフレア状断面とを示す変換可能な靴の後面図である。
【００２４】
【図１３】ローヒールバージョンの靴のソールに直接取り付けられたインソールを示す変換可能な靴の側面図である。
【００２５】
【図１４】ソールに直接取り付けられた配置のインソールを示す変換可能な靴の分解側面図である。
【００２６】
【図１５】変換可能な靴のソールの底部の底の下面図である。
【００２７】
【図１６】ゴルフ靴バージョンの底の下面図である。
【００２８】
【図１７】変換可能な靴のアッパーの異なる実施形態の側面図である。
【００２９】
【図１８】変換可能な靴のアッパーの異なる実施形態の側面図である。
【００３０】
【図１９】変換可能な靴のインソールとソールのかかとのちょう形リボンクリップの詳細である。
【発明を実施するための形態】
【００３１】
本発明の詳細な実施形態は本明細書で開示される。しかし、開示された実施形態は単に発明の例であり、発明は多様な別の形態で実施されうることは理解されるべきである。このため、本明細書で開示される特定の構造的及び機能的詳細は、限定としてではなく、単にクレームの基礎として及び多様に本発明を用いるべく当業者に教示するための代表的な基礎として解釈されるべきである。
【００３２】
変換可能な靴１００は、上部インソール１０とボトムソール５０の間に挿入部３０を単に追加することによって、ローヒールからハイヒールになる。好ましい実施形態では、変換可能な靴１００は、３つの異なるコンポーネントからなり、中底１１及び形作られたアッパー６０を有するインソール１０からなる上部、挿入部３０からなる中間部、及びソール５０からなる底部である。複数のコンポーネントは、以下詳細に説明する、均一なアタッチメント手段によって取り付けられ、これは、インソール１０が、ローヒールのためにソール５０に直接取り付られる、又はハイヒールを有する靴のために挿入部３０を含むことができるようにする。代わりのバージョンとして、好ましい実施形態では、それぞれ、後ろの部分で約１インチ厚の均一な厚さを有する複数の挿入部があり、それにより、１インチ増加した１インチ〜４インチ厚のかかとを有する靴を形成できる。第２の実施形態では、インソール１０は、ソール５０に直接取り付けられるが、底部分で複数の底コンポーネント５２を変更する変更可能な多くのソール５０があり、これにより、ソール５０を変えることによって靴のタイプが変更されることができる。これは、例えば、ドレス靴からゴルフ靴への変更を可能にする。これらの実施形態の詳細は、添付の図面と併せて説明される。
【００３３】
図１及び図２に示されるように、変換可能な靴１００は、インソール１０、挿入部３０、及びソール５０からなる。インソール１０は、インソール１０の上部にあり、履く者の足が載る中底１１を有する。履く者のかかととつま先に対応し、標準的な履き物の専門用語に対応するインソールのつま先端１３及びインソールのかかと端１４がある。そして、インソール１０の周辺部分をまわり、一般的にアウトソールとよばれる物に対応するインソールの周辺部１５がある。インソール１０はまた、底面１２を有し、それは、以下説明される底面２０のアタッチメントコンポーネントを含む。挿入部３０は、上面３１、底面３２、挿入部のつま先端３３，挿入部のかかと端３４、及び挿入部３０の外側表面である挿入部の周辺部３５を有する。挿入部の底面３２は、以下説明する底面２０のアタッチメントコンポーネントを含む。挿入部の上面３１は、以下説明する上面４０のアタッチメントコンポーネントを含む。ソール５０は、上面５１、下側（しばしば本明細書では底（トレッド）５２と呼ばれ、参照される）、ソールのつま先端５３，ソールのかかと端５４、及び、ソールの周辺部５５又は外面又はアウトソールを有する。ソールの上面５１は、以下で説明するような、上面４０のアタッチメントコンポーネントを含む。変換可能な靴１００は、インソールの底面１２と挿入部の底面３２が同一であり、挿入部の上面３１とソールの上面５１が同一であり、両方の底面が同じ底面２０のアタッチメントコンポーネントを有し、両方の上面が同じ上面４０のアタッチメントコンポーネントを有するように、設計される。そして、以下に説明するように、底面２０のアタッチメントコンポーネントは、上面４０のアタッチメントコンポーネントに対応し、これにより、インソール１０が、ソール５０に直接取り付けられてローヒールの靴を形成し、又は、挿入部３０に取り付けられ、挿入部３０がソール５０に取り付けられてハイヒールの靴を形成する。
【００３４】
図２で最も分かるように、インソール１０は、インソールのつま先１３からインソールのかかと１４にわたって、中底１１と底面１２との間で本質的には均一な厚さを有する。靴１００の全ての変形例のインソール１０は、均一な厚さを有する。好ましい実施形態では、挿入部１０は７．０ｍｍの厚さで、しかし、約０．２５インチ厚と０．７５インチ厚との間にすることができる。挿入部３０は、上面３１と底面３２との間でウェッジ形状を有し、それは、挿入部のつま先３３で薄く、挿入部のかかと３４で厚い。靴１００の全ての変形例の挿入部３０は、ウェッジ形状の厚みを有する。好ましい実施形態の挿入部３０は、挿入部のつま先３３でほぼ７ｍｍ厚の厚みを有し、挿入部のかかと５４でほぼ４５ｍｍ厚の厚みを有する。挿入部のつま先端３３のような厚みは、通常概略的には０．２５インチ厚であり、しかし、挿入部のかかと端３４での厚みは、約１インチと約３インチとの間の範囲である。図２に示されたソール５０は、上面５１と底５２の間でウェッジ形状を有し、ソールのつま先５３で薄く、ソールのかかと５４でより厚い。好ましい実施形態では、ソール５０の厚みはソールのつま先５３で約７ｍｍ、ソールのかかと５４で約５８ｍｍである。ソールのつま先５３でのソール５０の厚みは、通常、約０．５インチであり、しかし、ソールかかと端５４での厚みは、以下に示すような変換可能なスポーツバージョンでは０．５インチと、ハイヒールバージョンでは約３インチとの間の範囲であり得る。図１及び２は、靴のつま先端（１３，３３，及び５３）はまた、上方へわずかに湾曲している。これは、靴の間で一般的であり、「キックアップ」と称される。キックアップは、履く者が、足の母指球上でなめらかに進むようにでき、靴１００を履く者が快適かつ正常に歩くことができるのには必要である。
【００３５】
アタッチメント手段の第１の実施形態は、図３，４，５，及び６で示される。底面アタッチメント２０は図４に示される。底面アタッチメント２０は、インソール１０の底面１２上及び挿入部３０の底面３２上のものと同じである。底面アタッチメント２０は、つま先端２３及びかかと端２４を有し、突き出た周辺突起部２１と、周辺突起部２１内に位置する下方アタッチメント領域２５とからなる。周辺突起部２１は、本質的に長方形の断面を有し、約０．２５（４分の１）インチ幅で、約０．２５（４分の１）インチ厚であり、しかし、このサイズはわずかに変更可能である。好ましい実施形態では、周辺突起部２１は、上部で８．０ｍｍであり、底部で８．３ｍｍに徐々に先細になっており、周辺突起部２１は表面２０に取り付けられる。周辺突起部２１の高さは６．０ｍｍである。下方アタッチメント領域２５に位置するアタッチメント材２６のシートがある。１つの変形例では、アタッチメント材２６は、ベルクロとして一般に知られた標準のフック及びループ材であり、他の実施形態では、アタッチメント材２６は、ブランド名３−ＭＴＭ  Ｄｕａｌ  Ｌｏｃｋ  ＴＭ  ｆａｓｔｅｎｅｒ（登録商標）として売られているようなマッシュルームベルクロである。この材料は、その断面が茎（ｓｔｅｍ）から突き出た頭（ｈｅａｄ）を有するマッシュルームに似ているので、マッシュルームベルクロとして知られている。マッシュルームベルクロの２つの対応するシートが押しつけられると、頭が茎によって形成された空間にはめ込まれ、とてもしっかりしたかみ合いを作る。アタッチメント材２６は、接着又は他の従来のよく知られた手段によって、アタッチメント領域２５に接着される。
【００３６】
上面アタッチメント４０は、図３に示され、挿入部３０及びソール５０の上面にあるものと同じである。上面アタッチメント４０は、つま先端４３及びかかと端４４を有し、周辺溝４１と、周辺溝４１内で、上面に位置する上方アタッチメント領域４５とからなる。上面４０の周辺溝４１は、底面２０の周辺突起部２１に対応し、周辺突起部２１は下方に突き出ていて、周辺溝４１内に適合する。周辺溝４１は、おおよそ長方形の断面を有し、約０．２５（４分の１）インチ幅で、約０．２５（４分の１）インチ厚である。最も好ましい実施形態では、溝４１は底部で８．２ｍｍ幅であり、上部で８．５ｍｍ幅であり、６．０ｍｍ深さである。接着又は他のよく知られたアタッチメント手段によって、上方アタッチメント領域４５に取り付けられたアタッチメント材４６のシートがある。１つの変形例では、アタッチメント材４６は、ベルクロとして一般に知られている標準のフック及びループ材であり、他の実施形態では、アタッチメント材４６はマッシュルームベルクロである。明らかに、上方アタッチメント材４６は、下方アタッチメント材２６に対応し、両方は、標準のフック及びループ材であり、又は、両方は、マッシュルームベルクロである。
【００３７】
図７の切り離された断面図に示されるように、底面２０の周辺突起部２１は、上面４０の周辺溝４１に位置合わせされ、適合する。現代の成形技術は、とても正確な成形を可能にし、周辺突起部２１も、正確に、周辺溝４１内に適合するようなほぼ正確な寸法にされて構成される。適切に成形された場合、２つのコンポーネントは、共にかみ合って、比較的安定したアタッチメントを形成する。周辺突起部２１が溝４１に挿入された場合、上方アタッチメント材４６は、下方アタッチメント材２６に係合して、２つのコンポーネントを一緒に留める。
【００３８】
靴を履いた人が歩くとき、様々な圧力及び力が靴にかかる。明らかに、履いた者が靴を履いて踏み、下方への圧力がかかることによって垂直又は上下の力が形成され、履いた者が前に踏み出し、アッパーで止めた場合、上方への圧力が形成される。これらの力が靴の多様な層が剥がれて離れるようにするため、これは、靴作成及び設計分野では剥離力として知られている。履いた者が靴で歩くと動的な力もある。多くの人が最初に彼らのかかとで踏み、これが、お互いに靴（いかなる靴も）の多様な層を滑らせる前向きの力を生じさせる。これは、人が足の母指球上で踏むことが一般的である、ハイヒールの靴では異なる。全ての人が異なるように歩き、多くが、歩いている間彼らの足をわずかにねじって、ねじれ力を生じさせている。横方向力もあり、靴のコンポーネントは互いに滑る。多くの人が、前へ歩くと彼らの引きずっている足を外し、足の母指球からつま先へのわずかなねじり動作も有する。これが、靴の前部上に及び近くに回転力を生じさせる。これらの多様な力は、せん断力として知られている。せん断力と剥離力の組み合わせ、及びそれらが動的な力であるという事実は、靴の個別のコンポーネントを取り付けた状態で維持することを困難にしている。
【００３９】
対のアタッチメント材２６及び４６は、コンポーネントが上下又は剥離力によって離れることを防止し、周辺溝４１内の周辺突起部２１の配置が、他の全てのせん断力を考慮して設計される。対の突起部２１及び溝４１は、コンポーネントの周辺部のちょうど内側に形成されるため、横方向の及びねじりの力に耐えることができ、このため、靴のコンポーネントが結合状態でありうることを確実にする。図３及び４，図８及び９に示されるように、靴のコンポーネントは、不均一な形状であり、履いた者の足の母指球が中底１１に載るつま先近くが靴の最も幅広部分で、かかと１３方向が最も狭いという形状は、ほとんどの靴に同様である。この不均一な構成により、対の突起部２１及び溝４１が、靴１００上にある多様な非垂直のせん断力の全てをとらえることを可能にする。溝４１及び突起部２１は、インソール１０、挿入部３０、及びソール５０のそれぞれの周辺部１５、３５，又は５５から均一な距離である。この距離は、０．１２５（１／８"）インチから０．５（１／２"）インチまでの範囲で、靴１００のサイズ及び突起部２１と溝４１の構成に依存する。これは、材料の重なりを防止し、溝４１の外側の材料が、靴１００のそのコンポーネントへの横方向及び逆方向のせん断力に耐えることを可能にする。これは、靴への動的な性質の力を考慮していない複数のアライメント及びアタッチメントポストを含むＧｒｏｓｓ及び他の従来技術よりも改善されたものである。
【００４０】
アタッチメント手段の第２の実施形態は、図８，９，１０及び１１に示される。底面アタッチメント２０が図８に示される。底面アタッチメント２０は、インソール１０及び挿入部３０の底面と同じである。底面アタッチメント２０は、つま先端２３及びかかと端２４を有し、周辺突起部２１、複数の下方に突き出た突起２２、及び周辺突起部２１内に位置する下方アタッチメント領域２５からなる。下方アタッチメント領域２５において、突き出た突起２２周りに位置するアタッチメント材２６のシートがある。１つの変形例では、アタッチメント材２６は、ベルクロとして一般に知られた標準のフック及びループ材であり、他の実施形態では、アタッチメント材２６は、ブランド名３−ＭＴＭ  Ｄｕａｌ  Ｌｏｃｋ  ＴＭ  ｆａｓｔｅｎｅｒ（登録商標）のようなマッシュルームベルクロである。第２の実施形態の底面アタッチメント２０は、第１の実施形態のものと同一であり、しかし、下方に突き出た突起２２が追加されている。
【００４１】
第２の実施形態の上面アタッチメント４０は、図９に示され、挿入部３０とソール５０の上面のものと同じである。上面アタッチメント４０は、つま先端４３とかかと端４４とを有し、周辺溝４１、複数の一列の複数の凹部４２、及び周辺溝４１内で上面に位置する上方アタッチメント領域４５からなる。一列の複数の凹部４２は、約６．２ｍｍの直径であるが、実際の直径は、靴１００のサイズと構成に依存してわずかに変更されてよい。概して、かかと端近くに１つの凹部４２があり、靴のくびれ又は最も幅が狭い部分に１つの凹部があり、足領域の母指球の後ろに１つの凹部４２があり、履いた者の足の母指球が最も圧力をかける付近に２つの凹部４２があり、つま先近くに１つの凹部４２があってよい。凹部４２の深さは、位置によって変更されるとがった突起２２の高さに対応する。くびれでの凹部４２は、最も深く約６ｍｍで、一方つま先近くの凹部は最も浅く約４ｍｍである。第２の実施形態の上面アタッチメント４０は、第１の実施形態のものと同一であるが、一列の複数の凹部４２が追加されている。上面４０の周辺溝４１は、底面２０の周辺突起部２１に対応し、周辺突起部２１は、下方に突き出ていて周辺溝４１に適合する。底面２０の第２の実施形態のとがった突起２２は、上面４０の第２の実施形態の一列の複数の凹部４２内に適合するような寸法にされ配列される。つま先近くの突起２２、履いた者の足の母指球の下に位置する２つの突起２２、足領域の母指球の後ろに位置する１つの突起２２，くびれに位置する１つの突起２２、かかと近くに位置する突起２２がある。くびれの突起２２が最も高く、約６ｍｍである。これは、その位置での特別なまっすぐな保護の必要を考慮したものである。現代の成形技術によって、周辺突起部２１は、周辺溝４１にほとんど正確に適合するように成形され、周辺突起部２１は、周辺溝４１の内側の位置にはめ込まれる。適切に成形される場合、２つのコンポーネントが、共にかみ合わされ、比較的安定したアタッチメントを形成する。上方アタッチメント領域４５に位置するアタッチメント材４６のシートがある。１つの変形例では、アタッチメント材４６は、ベルクロとして一般に知られる標準のフック及びループ材であり、他の実施形態では、アタッチメント材４６はマッシュルームベルクロである。明らかに、上方アタッチメント材４６は、下方アタッチメント材２６に対応し、両方が、標準のフック及びループ材又は両方がマッシュルームベルクロである。
【００４２】
好ましい実施形態では、コンポーネント、インソール１０、挿入部３０、及びソール５０は、当該分野でよく知られた処理で押し出し成形されたプラスチックで形成される。コンポーネントは、様々な成形プラスチック材料から形成されることができ、しかし、ＥＶＡプラスチック、ＰＥプラスチック、ＰＵプラスチック又は当該分野でよく知られた他の任意の成形プラスチック材料に限定されない。上側インソール１０は、中底１１に対して足を保持する靴アッパー６０を有する。靴アッパー６０は、単純なつま先ストラップからより手の込んだ包み込む靴アッパーまでの範囲で、任意の数の一般のスタイル及びバリエーションであってよい。１対の異なる変形例は、図１７及び１８に示され、しかし、任意のスタイルの女性用靴のアッパー６０であれば可能であり、発明の概念の内である。交換可能なソール５０及び底５２を有する男性バージョンもあり、アッパー６０が多種多様の男性用スタイルになる。靴アッパー６０は、靴アッパーを作成するための任意の一般の材料で作られてよく、布、革、及び様々な他の自然又は人工材料を含む。アッパー６０は、限定されないがソーイング及び接着を含む、よく知られた従来の手段によってインソール１０に取り付けられる。上側インソール１０、中間挿入部３０、及びボトムソール５０の視認可能な外側周辺部は、上張り又は他の装飾材料で覆われ、装飾的でスタイリッシュな靴を形成する。例えば、一般的なウェッジシューズのための上張りは、コルクである。ボトムソール５０の下側又は底（トレッド）５２は、人工及びプラスチックから革まで、任意のタイプの従来の靴のボトムソール材料であってよい。
【００４３】
変換可能な靴１００の後面図である図１２を以下参照すると、インソール１０のインソールのかかと端１４は、わずかにフレア状にされた断面を有し、中底１１近くの端部は底面１２近くの端部より幅広である。フレア状断面は、グリップ表面を形成し、ユーザが一方の手でインソール１０のかかと端１４を握ることを可能にする。挿入部３０の挿入部のかかと端３４は、くぼんだ断面を有し、便利なグリップ領域を形成する。ソールかかと端５４はまた、くぼんだ断面を有し、便利なグリップ領域を形成する。これは、ユーザがフレア形状のインソールのかかと端１４を一方の手でしっかりと握り、他方の手でくぼんだソールかかと端５４をしっかりと握って、コンポーネントを引っぱって離すことを可能にする。
【００４４】
上記説明したアタッチメント手段は、コンポーネント（インソール１０、挿入部３０、及びソール５０）を安定して結合して保持し、歩く動的な力を抑えるように設計される。今の設計では、対のアタッチメント材２６及び４６と、対の周辺突起部２１及び周辺溝４１との組み合わせが、歩く間コンポーネントを結合した状態で保持するには十分な保持力を有することを示す。不幸にも、形成された結合力は、コンポーネントを離すことを困難にする。フレア形状のインソールのかかと端１４は、かかと端１４にハンドグリップを提供するように設計され、凹状の挿入部のかかと端３４と凹状のソール端５４は、ハンドグリップを形成し、履く者が靴を保持してコンポーネントを離すことを可能にするように設計される。フレア形状の端部と凹状の端部は、機能的であるだけではなく、追加的スタイル要素を変換可能な靴１００に追加する。３つ全てのコンポーネントが一緒になっているとき、ユーザは、一方の手でフレア形状のインソールのかかと端１４を、他方の手でソールかかと端５４のくぼんだ断面を握り、コンポーネントを引っぱって離すことができる。この位置で、ソール５０は、挿入部３０から外され、又は挿入部３０がインソール１０から離される。これら２つのコンポーネントが離されれば、ユーザは、残りの２つのコンポーネントで処理を繰り返すことができる。
【００４５】
変換可能な靴１００の主な目的は、快適のために、ハイヒールからより低いヒールへ変更することができるようにするものである。図１３及び１４は、挿入部３０を追加していない、ローヒールバージョンの変換可能な靴１００を示す。このバージョンでは、インソール１０がソール５０に直接取り付けられる。図１は、ハイヒールバージョンの変換可能な靴１００を示し、図１３は、ローヒールバージョンの同じ靴を示す。これらの図は、つま先５３よりわずかに厚いかかと５４を有するソール５０を示す。ソール５０のかかと５４及びつま先５３がほぼ同じ厚みであり、ヒールの無いスタイルの靴を形成することも可能であり、発明の概念内である。周辺溝４１の構造のために、ソールは、溝４１を収容し、依然として十分な強さを保持すべく、少なくとも１インチ厚であるべきである。図１４は、ローバージョンの靴のためにソール５０に取り付けられる位置のインソール１０の斜視図を示す。図１４は、突起２２と凹部４２を含まない第１の実施形態を示し、しかし、ローバージョンの靴１００のための突起２２と凹部４２を有する第２の実施形態を用いることも可能である。図６は、ハイヒールバージョンの靴１００を形成すべく、挿入部３０を有する靴１００を示し、図１４は、ローヒールバージョンの靴１００を形成すべく、挿入部３０を含まない同じ靴１００を示す。
【００４６】
ソール５０上の様々な異なる底５２を用いることは可能であり、発明の概念内である。図１６に示す１つの構成では、底５２はゴルフスパイクを含む。この実施形態では、ユーザは、１つのインソール１０を有し、アッパー６０を有する２つのボトムソール５０を備える。一方のボトムソール５０は、図１５に示されるような標準の靴のソールの底を有し、他方のボトムソール５０は、図１６に示されるようなスパイクを有するゴルフ靴のソールを備える。靴１００のこの変形例では、上記したようなソール５０は比較的均一な厚さを有し、それはスポーツシューズにとって概して必要であり、男性用靴にとって概して一般的である。これは、ユーザが、同じペアの靴をゴルフ用と非ゴルフ履き用とに履くことを可能にする。他の組み合わせは、よりドレッシーな革の人工革の底５２と、スポーツ又はテニスシューズスタイルの底５２とを含み、これは、履く者がドレス靴からカジュアルシューズへ変換させることを可能にする。
【００４７】
図１９は、除去可能なちょう形リボン７０を示す。ちょう形リボン７０は、ちょう形リボン７０に取り付けられるクリップ７６によって、アッパー６０に取り付けられ、アッパー６０に取り付けられたタブ６２へ滑って入る。好ましい実施形態では、タブ６２は、２つの端部でアッパーに取り付けられ、中間にスリップ空間６３は残して、ちょう形リボンクリップ７６が滑って入り、ちょう形リボン７０をアッパー６０に取り付けることを可能にする。１つの変形例では、ちょう形リボンのクリップ７６が、クリップの容易な開きを可能にするバネと、ちょう形リボン７０がタブ６２から滑り落ちないことを確実にするクリップ７６上の複数の歯とを含む。ちょう形リボン７０に、任意の装飾的特徴部又はヒールジュエリーを用いること、及びタブ６２を装飾的特徴部を取り付けるべく用いることは可能である。ヒールジュエリーは、花から金属文字まで多種多様な構成にでき、靴のパーソナル化を可能にする。図１９に示された実施形態は、アッパーに取り付けられたタブ６２を示し、しかし、タブ６２をソール５０又は挿入部３０へ取り付けることは可能であり、発明の概念内である。これは、靴１００のオーナーが様々な装飾的特徴部で靴１００を完全にパーソナル化することを可能にする。
【００４８】
本発明は、目的を実行し、それに固有の他の利益とともに、説明した目的と有利点との両方を維持するようによく適合される。本発明が、発明の特定の実施形態を参照して、図示され、説明され、定義されるが、そのような参照は、発明への限定を伴うものでなく、そのような限定は推測されるべきで無い。図示され説明された発明の実施形態は、例示のみで、発明の範囲を網羅するものではない。結果的に、本発明は、クレームの意図及び範囲にのみに限定されることを意図し、全ての点で均等のものへの完全な認識を与える。
【図１】
2015519934.tif 000003
【図２】
2015519934.tif 000004
【図３】
2015519934.tif 000005
【図４】
2015519934.tif 000006
【図５】
2015519934.tif 000007
【図６】
2015519934.tif 000008
【図７】
2015519934.tif 000009
【図８】
2015519934.tif 000010
【図９】
2015519934.tif 000011
【図１０】
2015519934.tif 000012
【図１１】
2015519934.tif 000013
【図１２】
2015519934.tif 000014
【図１３】
2015519934.tif 000015
【図１４】
2015519934.tif 000016
【図１５】
2015519934.tif 000017
【図１６】
2015519934.tif 000018
【図１７】
2015519934.tif 000019
【図１８】
2015519934.tif 000020
【図１９】
2015519934.tif 000021
【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
変換可能な靴であって、
中底、アッパー、外周部、つま先端、かかと端、及び下側アタッチメント手段を有する上部と、
外周部、つま先端、前記つま先端より厚いかかと端、上側アタッチメント手段及び下側アタッチメント手段を有する中間挿入部と、
外周部、つま先端、前記つま先端より厚いかかと端、上側アタッチメント手段及び底を有する底部とを備え、
前記上部の前記下側アタッチメント手段と前記中間挿入部の前記下側アタッチメント手段とは、同一であり、
前記中間挿入部の前記上側アタッチメント手段と前記底部の前記上側アタッチメント手段とは、同一であり、
前記下側アタッチメント手段は、狭い突き出た周辺突起部及び下方アタッチメント材を有し、
前記上側アタッチメント手段は、狭いくぼんだ周辺溝及び上方アタッチメント材を有し、
前記上方アタッチメント材は前記下方アタッチメント材と結合して、前記下側を前記上側にしっかりと保持し、
しっかりと固定しさらに取り外し可能なアタッチメントを作り出すために、前記周辺突起部は、前記周辺溝内に適合するような寸法にされ、構成され、
前記上部が前記底部に直接取り付けられてローヒールの靴を作り出すように、又は、前記上部が前記中間挿入部に取り付けられ前記中間挿入部が前記底部に取り付けられてハイヒールの靴を作り出すように、前記上側アタッチメント手段は、前記下側アタッチメント手段に対応して除去可能に取り付けられるような寸法にされ、離間され、構成される
変換可能な靴。
【請求項２】
前記下側アタッチメント手段は、不均一の曲線状外周を有し、前記周辺突起部は、前記外周から均一な距離で離間されて、前記周辺突起部に不均一な曲線状形状を設け、
前記上側アタッチメント手段は、不均一な曲線状外周を有し、前記周辺溝は、前記外周から均一な距離で離間されて、前記周辺溝に不均一な曲線状形状を設ける
請求項１に記載の変換可能な靴。
【請求項３】
前記靴は、垂直剥離力及び横方向のせん断力にさらされ、
取り付けられたときに、前記アタッチメント材が前記剥離力に耐えるようにされており、
前記底部のつま先端より前記かかと端が厚く、前記中間挿入部は、対応する前記周辺突起部及び前記周辺溝に全３次元で不均一な形状を設け、前記周辺突起部は、全３次元で前記せん断力に耐えるように、前記周辺溝内に適合する
請求項２に記載の変換可能な靴。
【請求項４】
前記上方アタッチメント材及び前記下方アタッチメント材がフック及びループ材である
請求項１から３のいずれか１項に記載の変換可能な靴。
【請求項５】
前記上方アタッチメント材及び前記下方アタッチメント材がマッシュルームベルクロである
請求項１から３のいずれか１項に記載の変換可能な靴。
【請求項６】
前記下側アタッチメント手段は、複数の下方に突き出た突起をさらに有し、前記上側アタッチメント手段は、複数の凹部をさらに有し、
前記複数の凹部は、前記複数の突起に対応して接続するような寸法にされ、離間され、構成される
請求項１から５のいずれか１項に記載の変換可能な靴。
【請求項７】
前記下側アタッチメント手段は、複数の下方に突き出た突起をさらに有し、前記上側アタッチメント手段は、複数の凹部をさらに有し、
前記複数の凹部は、前記複数の突起に対応して接続するような寸法にされ、離間され、構成され、
前記複数の突起は、前記せん断力に耐えるように、前記複数の凹部内に適合する
請求項１から５のいずれか１項に記載の変換可能な靴。
【請求項８】
複数の異なる底を有する複数の底部をさらに備え、
前記上部は、異なる用途のための靴を提供するために、前記複数の底部の一つに取り付けられることができる
請求項１から７のいずれか１項に記載の変換可能な靴。
【請求項９】
前記上部のかかと端は、グリップ領域を提供するために、広がっていく断面を有し、前記中間挿入部のかかと端は、グリップ領域を提供するために、くぼんだ断面を有し、前記底部のかかと端は、グリップ領域を提供するために、くぼんだ断面を有する
請求項１から８のいずれか１項に記載の変換可能な靴。
【請求項１０】
前記アッパーは、任意の靴スタイルに構成されることができる
請求項１から９のいずれか１項に記載の変換可能な靴。
【請求項１１】
前記アッパーの前記かかと端に取り付けられるアタッチメントタブをさらに備え、
前記アタッチメントタブは、複数のヒールジュエリーの取り付けのためのアタッチメントスロットを有する
請求項１から１０のいずれか１項に記載の変換可能な靴。
【国際調査報告】
2015519934.tif 000022